(57)【特許請求の範囲】
【請求項１】
契約情報を管理する基地局と、コンテンツが記録されているコンテンツ所有端末と、コンテンツ要求端末とから構成されるコンテンツ配信システムであって：
前記基地局は、契約情報記録手段によりコンテンツ識別情報とコンテンツ所有端末の端末識別情報と契約識別情報とを有する前記契約情報を記録し、無線接続部により前記コンテンツ要求端末からのコンテンツ識別情報を受信して、検索情報検索手段により前記コンテンツ識別情報に対応するコンテンツを所有するコンテンツ所有端末の端末識別情報を前記契約情報記録手段により検索して、前記無線接続部により前記コンテンツ要求端末に送信し、
前記コンテンツ要求端末は、契約情報受信部により前記基地局から受信した前記コンテンツ所有端末の端末識別情報に基づいて、無線接続部を介して前記コンテンツ所有端末に前記コンテンツに関する契約情報とコンテンツを要求し、
前記コンテンツ所有端末は、暗号化コンテンツ送信部により前記コンテンツに関する契約情報と暗号化されたコンテンツを前記コンテンツ要求端末に送信し、
前記コンテンツ要求端末は、暗号化コンテンツ受信部により前記契約情報と暗号化されたコンテンツを前記コンテンツ所有端末から受信して、契約情報送信部により前記契約情報と前記コンテンツ要求端末の端末識別情報を前記基地局に送信し、
前記基地局は、前記無線接続部により前記コンテンツ要求端末から受信した前記契約情報と前記端末識別情報に基づいて、契約情報更新部により前記コンテンツに関する契約情報を入手経路識別情報として更新し、前記コンテンツ要求端末が新たなコンテンツ所有端末として更新された契約情報を前記契約情報記録手段に記録するとともに、前記無線接続部により前記更新された契約情報および前記暗号化されたコンテンツを復号する鍵を送信し、
前記コンテンツ要求端末は、前記契約情報受信部により前記更新された契約情報を受信し、契約情報記録部に記録するとともに、鍵受信部により受信した前記鍵に基づいて前記暗号化コンテンツを復号して暗号化コンテンツ記録部に記録する、
コンテンツ配信システム。
【請求項２】
前記基地局の前記契約情報記録手段の記録内容に基づき、ユーザ毎のコンテンツの料金を決定する課金演算手段を備えた請求項１に記載のコンテンツ配信システム。
【請求項３】
前記課金演算手段は、端末のユーザに対し、コンテンツの配布元となったか否かに応じて前記料金を決定する請求項２に記載のコンテンツ配信システム。
【請求項４】
前記課金演算手段は、前記契約識別情報を共通にする前記契約情報の前記端末識別情報に対応するユーザに対し、コンテンツの料金を分配する請求項２に記載のコンテンツ配信システム。
【請求項５】
前記契約情報は、前記契約情報が生成された時点を示す契約時情報を有し、前記課金演算手段は、所定の時点よりも前の時点を示す前記契約時情報を有し、かつ前記契約識別情報を共通にする、前記契約情報の前記端末識別情報に対応するユーザに対し、コンテンツの料金を分配する請求項２に記載のコンテンツ配信システム。
【請求項６】
契約情報を管理する基地局と、コンテンツが記録されているコンテンツ所有端末と、コンテンツ要求端末とから構成されるコンテンツ配信システムの基地局であって：
契約情報記録手段によりコンテンツ識別情報とコンテンツ所有端末の端末識別情報と契約識別情報とを有する前記契約情報を記録し、無線接続部により前記コンテンツ要求端末からのコンテンツ識別情報を受信して、契約情報検索手段により前記コンテンツ識別情報に対応するコンテンツを所有するコンテンツ所有端末の端末識別情報を前記契約情報記録手段により検索して、前記無線接続部により前記コンテンツ要求端末に送信し、
前記コンテンツ要求端末は、契約情報受信部により前記基地局から受信した前記コンテンツ所有端末の端末識別情報に基づいて、無線接続部を介して前記コンテンツ所有端末に前記コンテンツに関する契約情報とコンテンツを要求し、
前記コンテンツ所有端末は、暗号化コンテンツ送信部により前記コンテンツに関する契約情報と暗号化されたコンテンツを前記コンテンツ要求端末に送信し、
前記コンテンツ要求端末は、暗号化コンテンツ受信部により前記契約情報と暗号化されたコンテンツを前記コンテンツ所有端末から受信して、契約情報送信部により前記契約情報と前記コンテンツ要求端末の端末識別情報を前記基地局に送信し、
前記基地局は、前記無線接続部により前記コンテンツ要求端末から受信した前記契約情報と前記端末識別情報に基づいて、契約情報更新部により前記コンテンツに関する契約情報を入手経路識別情報として更新し、前記コンテンツ要求端末が新たなコンテンツ所有端末として更新された契約情報を前記契約情報記録手段に記録するとともに、前記無線接続部により前記更新された契約情報および前記暗号化されたコンテンツを復号する鍵を送信し、
前記コンテンツ要求端末は、前記契約情報受信部により前記更新された契約情報を受信し、契約情報記録部に記録するとともに、鍵受信部により受信した前記鍵に基づいて前記暗号化コンテンツを復号して暗号化コンテンツ記録部に記録する、
コンテンツ配信システムの基地局。
【請求項７】
契約情報を管理する基地局と、コンテンツが記録されているコンテンツ所有端末と、コンテンツ要求端末とから構成されるコンテンツ配信システムにおいて：
契約情報記録手段によりコンテンツ識別情報とコンテンツ所有端末の端末識別情報と契約識別情報とを有する前記契約情報を記録し、無線接続部により前記コンテンツ要求端末からのコンテンツ識別情報を受信して、契約情報検索手段により前記コンテンツ識別情報に対応するコンテンツを所有するコンテンツ所有端末の端末識別情報を前記契約情報記録手段により検索して、前記無線接続部により前記コンテンツ要求端末に送信し、
前記コンテンツ要求端末は、契約情報受信部により前記基地局から受信した前記コンテンツ所有端末の端末識別情報に基づいて、無線接続部を介して前記コンテンツ所有端末に前記コンテンツに関する契約情報とコンテンツを要求し、
前記コンテンツ所有端末は、暗号化コンテンツ送信部により前記コンテンツに関する契約情報と暗号化されたコンテンツを前記コンテンツ要求端末に送信し、
前記コンテンツ要求端末は、暗号化コンテンツ受信部により前記契約情報と暗号化されたコンテンツを前記コンテンツ所有端末から受信して、契約情報送信部により前記契約情報と前記コンテンツ要求端末の端末識別情報を前記基地局に送信し、
前記基地局は、前記無線接続部により前記コンテンツ要求端末から受信した前記契約情報と前記端末識別情報に基づいて、契約情報更新部により前記コンテンツに関する契約情報を入手経路識別情報として更新し、前記コンテンツ要求端末が新たなコンテンツ所有端末として更新された契約情報を前記契約情報記録手段に記録するとともに、前記無線接続部により前記更新された契約情報および前記暗号化されたコンテンツを復号する鍵を送信し、
前記コンテンツ要求端末は、前記契約情報受信部により前記更新された契約情報を受信し、契約情報記録部に記録するとともに、鍵受信部により受信した前記鍵に基づいて前記暗号化コンテンツを復号して暗号化コンテンツ記録部に記録する、
コンテンツ配信方法。
【請求項８】
契約情報を管理する基地局と、コンテンツが記録されているコンテンツ所有端末と、コンテンツ要求端末とから構成されるコンテンツ配信システムにおいて：
契約情報記録手段によりコンテンツ識別情報とコンテンツ所有端末の端末識別情報と契約識別情報とを有する前記契約情報を記録し、無線接続部により前記コンテンツ要求端末からのコンテンツ識別情報を受信して、契約情報検索手段により前記コンテンツ識別情報に対応するコンテンツを所有するコンテンツ所有端末の端末識別情報を前記契約情報記録手段により検索して、前記無線接続部により前記コンテンツ要求端末に送信し、
前記コンテンツ要求端末は、契約情報受信部により前記基地局から受信した前記コンテンツ所有端末の端末識別情報に基づいて、無線接続部を介して前記コンテンツ所有端末に前記コンテンツに関する契約情報とコンテンツを要求し、
前記コンテンツ所有端末は、暗号化コンテンツ送信部により前記コンテンツに関する契約情報と暗号化されたコンテンツを前記コンテンツ要求端末に送信し、
前記コンテンツ要求端末は、暗号化コンテンツ受信部により前記契約情報と暗号化されたコンテンツを前記コンテンツ所有端末から受信して、契約情報送信部により前記契約情報と前記コンテンツ要求端末の端末識別情報を前記基地局に送信し、
前記基地局は、前記無線接続部により前記コンテンツ要求端末から受信した前記契約情報と前記端末識別情報に基づいて、契約情報更新部により前記コンテンツに関する契約情報を入手経路識別情報として更新し、前記コンテンツ要求端末が新たなコンテンツ所有端末として更新された契約情報を前記契約情報記録手段に記録するとともに、前記無線接続部により前記更新された契約情報および前記暗号化されたコンテンツを復号する鍵を送信し、
前記コンテンツ要求端末は、前記契約情報受信部により前記更新された契約情報を受信し、契約情報記録部に記録するとともに、鍵受信部により受信した前記鍵に基づいて前記暗号化コンテンツを復号して暗号化コンテンツ記録部に記録することを、
コンピュータに実行させるためのプログラムを記録したコンピュータによって読み取り可能な記録媒体。

【発明の詳細な説明】
【０００１】
【発明の属する技術分野】
本発明は、コンテンツの配信に関する。
【０００２】
【従来の技術】
音楽や映像などのコンテンツ配信サービスは、従来より行われている。従来のコンテンツ配信サービスのシステム構成を図２２に示す。基地局１００には、コンテンツ供給元１０２からコンテンツが供給される。
【０００３】
端末１１２、１１４は携帯電話などであり、基地局１００に接続して、コンテンツを受信する。すなわち、ダウンロードする。なお、音楽や映像などのコンテンツのデータサイズは一般的に大きい。そこで、端末１１２、１１４がコンテンツをダウンロードする場合は長時間、基地局１００に接続しなければならない。しかも、端末１１２、１１４が携帯電話である場合は、コンテンツのダウンロードのために広い帯域が必要になる。
【０００４】
【発明が解決しようとする課題】
しかしながら、長時間、基地局１００に接続すれば、通信料が高くなり端末１１２、１１４のユーザに不利である。しかも、コンテンツのダウンロードのために広い帯域が必要になれば、基地局１００に同時に接続できる端末の台数が減少してしまう。
【０００５】
なお、あるユーザの所有する端末にコンテンツをダウンロードしておき、他のユーザは、コンテンツを所有するユーザの端末からコンテンツをダウンロードするようにすれば、上記の問題は緩和される。
【０００６】
しかし、コンテンツを所有するユーザの端末からコンテンツをダウンロードするようにすれば、コンテンツを不特定多数のユーザが共有することになる。よって、著作権法上（違法コピー）の問題が生ずる。しかも、コンテンツが有料である場合は、最初にコンテンツをダウンロードしたユーザは、料金を支払うことになる一方で、かかるユーザからコンテンツを取得したほかのユーザは料金の支払いを免れることになる。よって、コンテンツを利用するユーザ間に課金の不公平が生じる。
【０００７】
そこで、本発明は、コンテンツを取得する際に、基地局に通信が偏らず、著作権法および課金に問題がないようなコンテンツ送受信装置等を提供することを課題とする。
【０００８】
【課題を解決するための手段】
本発明（端末）は、暗号化コンテンツ受信手段と、契約情報送信手段と、鍵受信手段と、を備えるように構成される。
【０００９】
暗号化コンテンツ受信手段は、契約情報および暗号化されたコンテンツを受信する。ただし、契約情報はコンテンツ識別情報および契約識別情報を有する。契約情報送信手段は、契約情報を基地局へ送信する。鍵受信手段は、基地局から暗号化されたコンテンツを復号するための鍵を受信する。
【００１０】
上記のように構成されたコンテンツ送受信装置（例えば端末）によれば、暗号化されたコンテンツを基地局から受信する必要がないので、暗号化されたコンテンツを取得する際に、基地局に通信が偏らない。しかも、暗号化されたコンテンツを復号するための鍵は基地局から受信するので、基地局が、鍵の配布を通じて著作権法上の問題および課金の問題を解消できる。
【００１１】
また、本発明においては、基地局から更新された契約情報を受信する契約情報受信手段を備えてもよい。しかも、本発明は、契約情報および暗号化されたコンテンツを送信する暗号化コンテンツ送信手段を備えてもよい。ここで、暗号化コンテンツ送信手段が送信する契約情報には、契約情報でもよいし、更新された契約情報でもよい。
【００１２】
また、本発明は、基地局から契約情報、暗号化されたコンテンツおよび暗号化されたコンテンツを復号するための鍵を受信する受信手段と、契約情報および暗号化されたコンテンツを送信する暗号化コンテンツ送信手段と、を備えるようにしてもよい。ただし、契約情報は、コンテンツ識別情報および契約識別情報を有する。
【００１３】
また、本発明（基地局）は、契約情報記録手段と、契約情報検索手段と、契約情報更新手段とを備える。
【００１４】
契約情報記録手段は、コンテンツ識別情報、コンテンツが記録されている端末の端末識別情報および契約識別情報を有する契約情報を記録する。
【００１５】
契約情報検索手段は、コンテンツ所有端末から受信した契約情報の契約識別情報と同一の契約識別情報を有する契約情報を契約情報記録手段の記録内容から検索する。
【００１６】
契約情報更新手段は、コンテンツ所有端末から受信した契約情報において、コンテンツ識別情報はそのままにし、コンテンツが記録されている端末の端末識別情報はコンテンツ所有端末の端末識別情報に変更することにより、更新した契約情報を契約情報記録手段に記録する。
【００１７】
上記のように構成されたコンテンツ送受信装置（例えば基地局）によれば、契約情報における、コンテンツが記録されている端末の端末識別情報を、コンテンツ所有端末の端末識別情報に変更していくので、コンテンツの流通経路を把握できる。そこで、流通経路に関する情報に基づき、著作権法上の問題および課金の問題を解消できる。
【００１８】
また、契約情報更新手段は、コンテンツ所有端末から受信した契約情報の契約識別情報を入手経路識別情報とし、更新した契約情報に新たな契約識別情報を付するようにしてもよい。あるいは、契約情報更新手段は、更新した契約情報の契約識別情報を、コンテンツ所有端末から受信した契約情報の契約識別情報と同じものとするようにしてもよい。
【００１９】
また、本発明は、契約情報記録手段の記録内容に基づきユーザ毎のコンテンツの料金を決定する課金演算手段を備えることが好適である。これによれば、課金演算手段が契約情報記録手段の記録内容に基づきユーザ毎のコンテンツの料金を決定するので、課金の問題を解消できる。
【００２０】
課金演算手段は、端末のユーザに対し、コンテンツの配布元となったか否かに応じて料金を決定してもよい。あるいは、課金演算手段は、契約識別情報を共通にする契約情報の端末識別情報に対応するユーザに対し、コンテンツの料金を分配するようにしてもよい。
【００２１】
また、契約情報は、契約情報が生成された時点を示す契約時情報を有し、課金演算手段は、所定の時点よりも前の時点を示す契約時情報を有し、かつ契約識別情報を共通にする、契約情報の端末識別情報に対応するユーザに対し、コンテンツの料金を分配するようにしてもよい。
【００２２】
【発明の実施の形態】
以下、本発明の実施の形態を図面を参照して説明する。
【００２３】
第一の実施形態
図１は本発明の第一の実施形態にかかるコンテンツ送受信装置の全体構成を示す図である。第一の実施形態にかかるコンテンツ送受信装置は、基地局１、端末２、４、６、コンテンツ供給元８を備える。端末２、４、６は例えば携帯電話である。
【００２４】
基地局１は、コンテンツ供給元８からコンテンツの供給を受ける。コンテンツには、例えば音楽、画像、動画映像、ゲームなどのアプリケーションソフトウェア、テキスト情報、地図情報などがある。基地局１は、端末２には鍵（以後、「カギ」と記載することがある）、契約情報、暗号化されたコンテンツを送信する。また、基地局１は、端末４、６から契約情報を受信し、更新した契約情報および鍵を端末４、６に送信する。なお、端末２から端末４へ、そして端末４から端末６へは、暗号化されたコンテンツおよび契約情報が送信される。
【００２５】
基地局１の構成を図２に示す。基地局１は、コンテンツ管理部１０、契約情報管理部２０、無線接続部３０、課金演算部４０を備える。
【００２６】
コンテンツ管理部１０は、コンテンツ記録部１２、鍵記録部１４、コンテンツ暗号化部１６を有する。コンテンツ記録部１２は、コンテンツ供給元８から供給を受けたコンテンツを記録する。鍵記録部１４は、コンテンツ記録部１２に記録されたコンテンツを暗号化するための鍵を記録する。コンテンツ暗号化部１６は、コンテンツ記録部１２に記録されたコンテンツを、鍵記録部１４に記録された鍵によって暗号化する。なお、ここでいう「鍵」のかわりに、コンテンツの再生を禁止する符号を使用し、コンテンツに添付するようにしてもよい。
【００２７】
契約情報管理部２０は、契約情報記録部２２、契約情報検索部２４、契約情報更新部２６を有する。
【００２８】
契約情報記録部２２には、契約ＩＤ、コンテンツＩＤ、契約日付、契約を行ったユーザの電話番号、入手経路ＩＤを有する契約情報が記録されている。契約情報の一例を図３に示す。
【００２９】
契約ＩＤとは、契約情報を識別するための契約識別情報である。コンテンツＩＤとは、コンテンツを識別するためのコンテンツ識別情報である。契約日付は、端末のユーザがコンテンツを使用する旨の契約を締結した日付である。契約を締結すると、契約情報が生成されるので、契約日付は契約情報が生成された時点を示す契約時情報に対応する。契約を行ったユーザの電話番号は、契約を行ったユーザが所有する端末の電話番号である。契約を行ったユーザが所有する端末にはコンテンツが記録されているので、契約を行ったユーザの電話番号は、コンテンツが記録される端末を識別する端末識別情報である。入手経路ＩＤは、コンテンツを取得した際に、基本となった契約の契約ＩＤである。
【００３０】
図３の例でいえば、契約ＩＤ022の入手経路ＩＤは200である。また、契約ＩＤ022の契約を行ったユーザの電話番号が示す端末は、端末６である。よって、端末６の所有者は、契約ＩＤ200の契約を基本として、コンテンツを取得している。ここで、契約ＩＤ200の契約を行ったユーザの電話番号が示す端末は、端末４である。よって、端末６の所有者は、端末４の所有者からコンテンツを取得したことになる。言い換えれば、端末４から端末６にコンテンツが転送されたことになる。
【００３１】
なお、図３において入手経路ＩＤが基地局となっているものは、基地局からコンテンツを取得したことを示している。
【００３２】
図２に戻り、契約情報検索部２４は、コンテンツを所有するコンテンツ所有端末から受信した契約情報の契約ＩＤと同一の契約ＩＤを有する契約情報を契約情報記録部２２の記録内容から検索する。契約情報更新部２６は、コンテンツ所有端末から受信した契約情報において、コンテンツＩＤはそのままにし、契約を行ったユーザの電話番号（端末ＩＤ）はコンテンツ所有端末の電話番号（端末ＩＤ）に変更することにより、更新した契約情報を契約情報記録部２２に記録する。なお、契約日付および契約ＩＤは更新する。また、入手経路ＩＤは、コンテンツ所有端末から受信した契約情報の契約ＩＤとする。
【００３３】
契約情報更新部２６の契約情報の更新の例を図４を参照して説明する。まず、契約情報記録部２２に、図４（ａ）に示すような契約情報が記録されていたとする。そして、端末６から図４（ｂ）に示すような契約情報が送信されてきたとする。ただし、契約を行ったユーザの電話番号は空欄でもよい。あとで書きかえられてしまうからである。すると、契約情報検索部２４は、端末６から送信されたきた契約情報の契約ＩＤと、共通の契約ＩＤを有する契約情報（図４（ａ）参照）を検出する。そして、契約情報更新部２６は、コンテンツＩＤはそのままにし、契約を行ったユーザの電話番号は端末６の電話番号（090-3333-3333）に変更し、入手経路ＩＤは、端末６から受信した契約情報の契約ＩＤ（200）とする。なお、契約日付、契約ＩＤは更新する。よって、図４（ｃ）に示すように契約情報が更新される。
【００３４】
図２に戻り、無線接続部３０は、暗号化コンテンツを端末２に送信し、鍵を端末２、４、６に送信し、契約情報を端末４、６から受信し、更新した契約情報を端末４、６に送信する（図１参照）。なお、更新した契約情報の内、各端末に送信されるものは、各端末が契約を行ったもののみである。例えば、端末６には、端末６の電話番号（090-3333-3333）が契約を行ったユーザの電話番号となっている行の契約情報（契約ＩＤ022）が送信される（図４（ｃ）参照）。
【００３５】
図２に戻り、課金演算部４０は、契約情報記録部２２の記録内容に基づきユーザ毎のコンテンツの料金を決定する。なお、ここでいう料金とは、金銭に限らず、ポイントをある程度ためると商品が割り引きになるといったようなものも含む。例えば、契約情報記録部２２の記録内容が図３のようであれば、入手経路ＩＤを追跡し、契約を行ったユーザの電話番号を見ることで、端末２、端末４、端末６というようにコンテンツが流通したことになる。そこで、端末２、端末４はコンテンツの配布元になったので、端末２および端末４の所有者に、ある程度の金銭を支給あるいは商品と引きかえられるようなポイントを支給する。あるいは、端末２は配布元の配布元になっているので、端末４の所有者よりも多めに、端末２の所有者にポイント等を支給してもよい。
【００３６】
端末４の構成を図５に示す。なお、端末２、６も端末４とほぼ同様の構成なので、端末２、６については端末４との相違点を記載して説明を省略する。端末４は、暗号化コンテンツ受信部４２、契約情報記録部４４、端末ＩＤ記録部４６、契約情報送信部４８、無線接続部５０、契約情報受信部５２、暗号化コンテンツ記録部５４、暗号化コンテンツ送信部５６、鍵受信部５７、鍵記録部５８、復号化部６０、コンテンツ再生部６２を備える。
【００３７】
暗号化コンテンツ受信部４２は、端末２から契約情報および暗号化されたコンテンツを受信する。端末２との通信は、Blue ToothやIrDAのような通信方式により行ってもよいし、USBインタフェースなどにより接続して行ってもよい。また、メモリスティックなどに代表される取り外し可能メモリを端末２との間で交換してもよい。
【００３８】
契約情報記録部４４は、暗号化コンテンツ受信部４２が受信した契約情報および契約情報受信部５２が受信した基地局１からの更新された契約情報を記録する。端末ＩＤ記録部４６は、端末を識別するための電話番号や製造番号などである端末ＩＤを記録する。契約情報送信部４８は、暗号化コンテンツ受信部４２が受信した契約情報と端末ＩＤ記録部４６に記録された端末ＩＤを無線接続部５０を介して送信する。無線接続部５０は、基地局１と無線通信を行うためのものである。
【００３９】
契約情報受信部５２は、基地局１から更新された契約情報を受信し、契約情報記録部４４の記録内容を更新する。すなわち、契約情報記録部４４には当初、端末２から送信された契約情報が記録されている。しかし、基地局１から更新された契約情報を受信すると、契約情報記録部４４は、更新された契約情報を記録するようになり、端末２から送信された契約情報は破棄される。
【００４０】
暗号化コンテンツ記録部５４は、暗号化コンテンツ受信部４２が受信した暗号化コンテンツを記録する。ただし、端末２においては、無線通信部５０を介して、基地局１から送信されてきた暗号化コンテンツを記録する。暗号化コンテンツ送信部５６は、暗号化コンテンツ記録部５４に記録された暗号化コンテンツおよび契約情報記録部４４に記録された更新された契約情報を端末６に送信する。ただし、端末６は、暗号化コンテンツ送信部５６を備えずともよい。
【００４１】
鍵受信部５７は、基地局１から更新された鍵を受信する。鍵記録部５８は、鍵受信部５７が受信した鍵を記録する。復号化部６０は、暗号化コンテンツ記録部５４に記録された暗号化コンテンツを、鍵記録部５８に記録された鍵により復号する。コンテンツ再生部６２は、復号されたコンテンツを再生する。なお、「鍵」のかわりに、コンテンツの再生を禁止する符号を使用し、コンテンツに添付するようにした場合は、復号化部６０が暗号化コンテンツ記録部５４の記録内容から、鍵記録部５８の記録内容（再生禁止符号）を除去するようにすればよい。
【００４２】
次に、第一の実施形態の動作を説明する。図６は、第一の実施形態の動作を示すフローチャートである。まず、端末２に基地局１から暗号化されたコンテンツがダウンロードされる（Ｓ１０）。このとき、鍵、契約情報もダウンロードされる。端末２への暗号化コンテンツ等のダウンロードの詳細な手順を図７に示す。まず、端末２からユーザが、コンテンツ情報の購入を基地局１に対して要求する（Ｓ１０１）。すると、基地局１はコンテンツ情報の購入の意思確認を行う（Ｓ１０２）。ここで、端末２からユーザが、購入の意思があることを明確にすると（Ｓ１０３）、契約情報（Ｓ１０４）、カギ（Ｓ１０５）、コンテンツ（Ｓ１０６）、が基地局１から端末２にダウンロードされる。このときの契約情報を図８に示す。入手経路ＩＤは、基地局１からコンテンツを取得したことを示している。
【００４３】
このような契約情報は、契約情報更新部２６が作成して、契約情報記録部２２に記録する。そして、契約情報更新部２６から無線接続部３０を介して端末２に送信する（Ｓ１０４）。また、コンテンツ暗号化部１６は、コンテンツ記録部１２からコンテンツを読み出し、鍵記録部１４に記録された鍵により暗号化して、無線接続部３０を介して端末２に送信する（Ｓ１０６）。なお、鍵は、鍵記録部１４から無線接続部３０を介して端末２に送信する（Ｓ１０５）。
【００４４】
このとき、端末２においては、契約情報は無線接続部５０、契約情報受信部５２を介して契約情報記録部４４に記録される。暗号化コンテンツは無線接続部５０を介して暗号化コンテンツ記録部５４に記録される。鍵は無線接続部５０、鍵受信部５７を介して鍵記録部５８に記録される。
【００４５】
復号化部６０は、暗号化コンテンツ記録部５４に記録された暗号化コンテンツを、鍵記録部５８に記録された鍵により復号する。コンテンツ再生部６２は、復号されたコンテンツを再生する。よって、端末２の所有者（ユーザ）は、コンテンツを利用できる。
【００４６】
また、端末４の所有者（ユーザ）が、端末２に記録されたコンテンツを利用しようとしていたとする。端末４の所有者が欲しいコンテンツが、どの端末にあるかを知るためには、例えば以下のような方法がある。
【００４７】
まず、端末４の所有者が、コンテンツＩＤ＝１０００１のコンテンツを入手しようと思ったときに、端末４を操作して、コンテンツ情報所有者検索要求を基地局１に送信することにより、同じコンテンツＩＤを有する契約情報の検索を要求する。このとき、検索したいコンテンツＩＤと電話番号リストを送信する。
【００４８】
ここで、契約情報記録部２２の記録内容は、図８に示すようなものであり、コンテンツ情報所有者検索要求の電話番号リストに端末２の電話番号が含まれていたとすると、端末２がコンテンツＩＤ＝１０００１のコンテンツを記録していることがわかる。そこで、基地局１は、端末２の電話番号を端末４に通知する。
【００４９】
ここで、図６に戻り、端末２から端末４へ、契約情報および暗号化コンテンツを転送する（Ｓ１２）。より詳細には、図９に示すように、端末４から端末２にコンテンツのコピーを要求すると（Ｓ１２１）、契約情報（Ｓ１２２）、コンテンツ（Ｓ１２３）、が端末２から端末４に送信される。
【００５０】
すなわち、端末２の契約情報記録部４４の記録内容（図８参照）である契約情報および暗号化コンテンツ記録部５４に記録された暗号化コンテンツを、暗号化コンテンツ送信部５６により端末４へ転送する。
【００５１】
端末４は、端末２から送信されてきた契約情報および暗号化コンテンツを、暗号化コンテンツ受信部４２により受信する。暗号化コンテンツは、暗号化コンテンツ記録部５４に記録される。契約情報は契約情報記録部４４に記録される。ここで、契約情報送信部４８が、暗号化コンテンツ受信部４２が受信した契約情報と端末ＩＤ記録部４６に記録された端末ＩＤを無線接続部５０を介して、コンテンツ購入要求とともに基地局１に送信する（図１１のＳ１２４、Ｓ１２５）。
【００５２】
ここで、基地局１はコンテンツ情報の購入の意思確認を行う（Ｓ１２６）。ここで、端末４からユーザが、購入の意思があることを明確にすると（Ｓ１２７）、カギ（Ｓ１２８）、契約情報（Ｓ１２９）が基地局１から端末４にダウンロードされる。
【００５３】
より詳細に説明すると、基地局１は、無線接続部３０を介して、契約情報および端末ＩＤを受信する。契約情報検索部２４は、端末４から送信されてきた契約情報の契約ＩＤと同一の契約ＩＤを有する契約情報を契約情報記録部２２の記録内容から検索する。すると、図８に記録されたような契約情報が検出される。
【００５４】
ここで、契約情報更新部２６は、図１０に示すように、コンテンツＩＤは「100001」そのままにし、コンテンツが記録されている端末の端末ＩＤ（電話番号「090-1111-1111」）はコンテンツを所有する端末４の端末ＩＤ（電話番号「090-2222-2222」）に変更することにより、更新した契約情報を契約情報記録部２２に記録する。なお、契約日付および契約ＩＤは更新する。また、入手経路ＩＤは、コンテンツ所有端末から受信した契約情報の契約ＩＤ（128）とする。
【００５５】
そして、図１０の最終行の契約情報（契約ＩＤ：200）を無線接続部３０を介して端末４に送信する。この契約情報は、契約情報受信部５２を介して、契約情報記録部４４に記録される。このとき、鍵も、鍵記録部１４から無線接続部３０を介して端末４に送信する。鍵は無線接続部５０、鍵受信部５７を介して鍵記録部５８に記録される。
【００５６】
復号化部６０は、暗号化コンテンツ記録部５４に記録された暗号化コンテンツを、鍵記録部５８に記録された鍵により復号する。コンテンツ再生部６２は、復号されたコンテンツを再生する。よって、端末４の所有者（ユーザ）は、コンテンツを利用できる。
【００５７】
そして、端末６へ端末４から暗号化コンテンツなどが転送される（Ｓ１４）。この動作は、端末４へ端末２からの暗号化コンテンツの転送（Ｓ１２）と同様である。端末６から購入の意思確認（Ｓ１２７と同様）がとれたときの契約情報記録部２２の記録内容は図１２のようになる。そして、図１２に示す最終行の契約情報（契約ＩＤ022）が端末６へ送信される。
【００５８】
そして、図６に戻り、課金演算部４０により、料金計算が行われる（Ｓ１６）。課金演算部４０は、契約情報記録部２２の記録内容に基づきユーザ毎のコンテンツの料金あるいはポイント等を決定する。契約情報記録部２２の記録内容が図１１のようになっている。そこで、契約情報記録部２２の記録内容の入手経路ＩＤを追跡し、契約を行ったユーザの電話番号を見ることで、端末２、端末４、端末６というようにコンテンツが流通したことがわかる。そこで、端末２、端末４はコンテンツの配布元になったので、端末２および端末４の所有者に、ある程度の金銭を支給あるいは商品と引きかえられるようなポイントを支給する。あるいは、端末２は配布元の配布元になっているので、端末４の所有者よりも多めに、端末２の所有者にポイント等を支給してもよい。
【００５９】
第一の実施形態のように構成されたコンテンツ送受信装置によれば、端末４、６はそれぞれ端末２、４から暗号化されたコンテンツを受信すればよい。よって、端末４、６は暗号化されたコンテンツを基地局１から受信する必要がない。したがって、暗号化されたコンテンツを取得する際に、基地局１に通信が偏らない。よって、端末４、６の所有者は、基地局１との通信費を節約でき、また基地局１との通信により広い帯域を使用することがなくなる。
【００６０】
しかも、端末２、４、６は、暗号化されたコンテンツを復号するための鍵および更新された契約情報を基地局１から受信する。よって、鍵を端末２、４、６が受信する際に、著作権に関する契約を締結することが可能であり、違法コピーなどの著作権法上の問題を回避できる。また、更新された契約情報を利用して課金の問題を解消できる。
【００６１】
また、基地局１は、端末４、６から契約情報を受信する。そして、受信した契約情報における、契約を行ったユーザの電話番号を、コンテンツが記録されている端末（すなわち、契約情報を送信してきた端末）の電話番号に変更し、受信した契約情報の契約ＩＤを入手経路ＩＤに変更していく。よって、入手経路ＩＤを追跡し、契約を行ったユーザの電話番号を見ていくことで、コンテンツの流通経路を把握できる。そこで、流通経路に関する情報に基づき、課金の問題を解消できる。すなわち、課金演算部４０が契約情報記録部２２の記録内容に基づきユーザ毎のコンテンツの料金を決定するので、課金の問題を解消できる。
【００６２】
特に、課金演算の際に、配布元となった端末２、４の所有者を優遇することになるので、端末２、４の所有者が配布元を引きうけるインセンティブとなり、コンテンツの配布促進が図れる。
【００６３】
第二の実施形態
第二の実施形態にかかるコンテンツ送受信装置は、課金方法が第一の実施形態と異なり、これに応じて契約情報の構成も第一の実施形態と異なる。以下、第一の実施形態と同様な部分は第一の実施形態と同様な番号を付して説明を省略する。
【００６４】
本発明の第二の実施形態にかかるコンテンツ送受信装置の全体構成を図２１に示す。第二の実施形態にかかるコンテンツ送受信装置は、基地局１、端末２、４、６、コンテンツ供給元８を備える。端末２、４、６は例えば携帯電話である。
【００６５】
基地局１は、コンテンツ供給元８からコンテンツの供給を受ける。コンテンツには、例えば音楽、画像、動画映像、ゲームなどのアプリケーションソフトウェア、テキスト情報、地図情報などがある。基地局１は、端末２には鍵、契約情報、暗号化されたコンテンツを送信する。また、基地局１は、端末４、６から契約情報を受信し、鍵を端末４、６に送信する。なお、端末２から端末４へ、そして端末４から端末６へは、暗号化されたコンテンツおよび契約情報が送信される。ここで、第一の実施形態と異なる点は、基地局１が端末４、６に更新した契約情報を送信しないことである。
【００６６】
基地局１の構成は第一の実施形態と同様である（図２参照）。ただし、契約情報の構成が異なる。そこで、契約情報管理部２０および課金演算部４０が第一の実施形態と異なるので説明する。
【００６７】
契約情報記録部２２には、契約ＩＤ、コンテンツＩＤ、契約日付、清算日、契約を行ったユーザの電話番号、を有する契約情報が記録されている。契約情報の一例を図１３に示す。
【００６８】
契約ＩＤ、コンテンツＩＤ、契約日付、契約を行ったユーザの電話番号は第一の実施形態と同様である。清算日は、料金の計算を行う基準となる日（いわゆる「しめ日」）である。第一の実施形態と異なる点は、契約ＩＤが共通である点と、入手経路ＩＤが無い点である。図１３に示す契約情報には、コンテンツＩＤ100001にかかるコンテンツを端末２、４、６のユーザが共有していることが記録されている。
【００６９】
契約情報検索部２４は、コンテンツを所有するコンテンツ所有端末から受信した契約情報の契約ＩＤと同一の契約ＩＤを有する契約情報を契約情報記録部２２の記録内容から検索する。契約情報更新部２６は、コンテンツ所有端末から受信した契約情報において、コンテンツＩＤ、契約ＩＤおよび清算日はそのままにし、契約を行ったユーザの電話番号（端末ＩＤ）はコンテンツ所有端末の電話番号（端末ＩＤ）に変更することにより、更新した契約情報を契約情報記録部２２に記録する。なお、契約日付は更新する。
【００７０】
契約情報更新部２６の契約情報の更新の例を図１４を参照して説明する。まず、契約情報記録部２２に、図１４（ａ）に示すような契約情報が記録されていたとする。そして、端末６から図１４（ｂ）に示すような契約情報が送信されてきたとする。ただし、契約を行ったユーザの電話番号は空欄でもよい。あとで書きかえられてしまうからである。すると、契約情報検索部２４は、端末６から送信されたきた契約情報の契約ＩＤと、共通の契約ＩＤを有する契約情報（図１４（ａ）参照）を検出する。そして、契約情報更新部２６は、コンテンツＩＤ、契約ＩＤおよび清算日はそのままにし、契約を行ったユーザの電話番号は端末６の電話番号（090-3333-3333）に変更し、契約日付は更新する。よって、図１４（ｃ）に示すように契約情報が更新される。
【００７１】
図２に戻り、課金演算部４０は、契約情報記録部２２の記録内容に基づきユーザ毎のコンテンツの料金を決定する。なお、ここでいう料金とは、金銭に限らず、ポイントをある程度ためると商品が割り引きになるといったようなものも含む。例えば、契約情報記録部２２の記録内容が図１３のようであれば、清算日までに、端末２、端末４、端末６の所有者が、コンテンツを共有していることがわかる。ここで、コンテンツを得るためにかかった費用Ｘは、Ｘ＝［コンテンツ一個の価格］×３＋［端末２がコンテンツを基地局１から受信するための通信費］である。そこで、端末２、端末４、端末６の所有者に、Ｘ／３ずつ費用を割り当てる。すなわち、端末２、端末４、端末６の所有者が、端末２と基地局１との通信費を分担して負担する。
【００７２】
なお、清算日以降に、コンテンツを入手したユーザに対しては、端末２、端末４、端末６の所有者と同額の料金を課す様にしてもよい。
【００７３】
端末２、４、６の構成は第一の実施形態と同様である。ただし、端末４、６において契約情報受信部５２は不要である。第二の実施形態においては、基地局１から端末４、６は更新された契約情報を受信しないからである。
【００７４】
次に、第二の実施形態の動作を説明する。第二の実施形態の動作は細部において第一の実施形態と異なるのみなので、図６を参照して説明する。まず、端末２に基地局１から暗号化されたコンテンツがダウンロードされる（Ｓ１０）。このとき、鍵、契約情報もダウンロードされる。端末２への暗号化コンテンツ等のダウンロードの詳細な手順を図１５に示す。まず、端末２からユーザが、コンテンツ情報の購入を基地局１に対して要求する（Ｓ１０１）。すると、基地局１はコンテンツ情報の購入の意思確認を行う（Ｓ１０２）。ここで、端末２からユーザが、購入の意思があることを明確にすると（Ｓ１０３）、契約情報（Ｓ１０４）、カギ（Ｓ１０５）、コンテンツ（Ｓ１０６）、が基地局１から端末２にダウンロードされる。このときの契約情報を図１６に示す。
【００７５】
このような契約情報は、契約情報更新部２６が作成して、契約情報記録部２２に記録する。そして、契約情報更新部２６から無線接続部３０を介して端末２に送信する（Ｓ１０４）。また、コンテンツ暗号化部１６は、コンテンツ記録部１２からコンテンツを読み出し、鍵記録部１４に記録された鍵により暗号化して、無線接続部３０を介して端末２に送信する（Ｓ１０６）。なお、鍵は、鍵記録部１４から無線接続部３０を介して端末２に送信する（Ｓ１０５）。
【００７６】
このとき、端末２においては、契約情報は無線接続部５０、契約情報受信部５２を介して契約情報記録部４４に記録される。暗号化コンテンツは無線接続部５０を介して暗号化コンテンツ記録部５４に記録される。鍵は無線接続部５０、鍵受信部５７を介して鍵記録部５８に記録される。
【００７７】
復号化部６０は、暗号化コンテンツ記録部５４に記録された暗号化コンテンツを、鍵記録部５８に記録された鍵により復号する。コンテンツ再生部６２は、復号されたコンテンツを再生する。よって、端末２の所有者（ユーザ）は、コンテンツを利用できる。
【００７８】
また、端末４の所有者（ユーザ）が、端末２に記録されたコンテンツを利用しようとしていたとする。端末４の所有者が欲しいコンテンツが、どの端末にあるかを知るためには、例えば以下のような方法がある。
【００７９】
まず、端末４の所有者が、コンテンツＩＤ＝１０００１のコンテンツを入手しようと思ったときに、端末４を操作して、コンテンツ情報所有者検索要求を基地局１に送信することにより、同じコンテンツＩＤを有する契約情報の検索を要求する。このとき、検索したいコンテンツＩＤと電話番号リストを送信する。
【００８０】
ここで、契約情報記録部２２の記録内容は、図１６に示すようなものであり、コンテンツ情報所有者検索要求の電話番号リストに端末２の電話番号が含まれていたとすると、端末２がコンテンツＩＤ＝１０００１のコンテンツを記録していることがわかる。そこで、基地局１は、端末２の電話番号を端末４に通知する。
【００８１】
ここで、図６に戻り、端末２から端末４へ、契約情報および暗号化コンテンツを転送する（Ｓ１２）。より詳細には、図１７に示すように、端末４から端末２にコンテンツのコピーを要求すると（Ｓ１２１）、契約情報（Ｓ１２２）、コンテンツ（Ｓ１２３）、が端末２から端末４に送信される。
【００８２】
すなわち、端末２の契約情報記録部４４の記録内容（図１６参照）である契約情報および暗号化コンテンツ記録部５４に記録された暗号化コンテンツを、暗号化コンテンツ送信部５６により端末４へ転送する。
【００８３】
端末４は、端末２から送信されてきた契約情報および暗号化コンテンツを、暗号化コンテンツ受信部４２により受信する。暗号化コンテンツは、暗号化コンテンツ記録部５４に記録される。契約情報は契約情報記録部４４に記録される。ここで、契約情報送信部４８が、暗号化コンテンツ受信部４２が受信した契約情報と端末ＩＤ記録部４６に記録された端末ＩＤを無線接続部５０を介して、コンテンツ購入要求とともに基地局１に送信する（図１８のＳ１２４、Ｓ１２５）。
【００８４】
ここで、基地局１はコンテンツ情報の購入の意思確認を行う（Ｓ１２６）。ここで、端末４からユーザが、購入の意思があることを明確にすると（Ｓ１２７）、カギ（Ｓ１２８）、が基地局１から端末４にダウンロードされる。ここで、第一の実施形態と異なる点は、更新された契約情報が基地局１から端末４に送信されない点である。
【００８５】
より詳細に説明すると、基地局１は、無線接続部３０を介して、契約情報および端末ＩＤを受信する。契約情報検索部２４は、端末４から送信されてきた契約情報の契約ＩＤと同一の契約ＩＤを有する契約情報を契約情報記録部２２の記録内容から検索する。すると、図１６に記録されたような契約情報が検出される。
【００８６】
ここで、契約情報更新部２６は、図１９に示すように、コンテンツＩＤは「100001」そのままにし、契約ＩＤも「128」そのままにし、コンテンツが記録されている端末の端末ＩＤ（電話番号「090-1111-1111」）はコンテンツを所有する端末４の端末ＩＤ（電話番号「090-2222-2222」）に変更することにより、更新した契約情報を契約情報記録部２２に記録する。なお、契約日付は更新する。
【００８７】
ただし、第一の実施形態とは異なり、更新した契約情報を端末４に送信することはない。
【００８８】
復号化部６０は、暗号化コンテンツ記録部５４に記録された暗号化コンテンツを、鍵記録部５８に記録された鍵により復号する。コンテンツ再生部６２は、復号されたコンテンツを再生する。よって、端末４の所有者（ユーザ）は、コンテンツを利用できる。
【００８９】
そして、端末６へ端末４から暗号化コンテンツなどが転送される（Ｓ１４）。
この動作は、端末４へ端末２からの暗号化コンテンツの転送（Ｓ１２）と同様である。端末６から購入の意思確認（Ｓ１２７と同様）がとれたときの契約情報記録部２２の記録内容は図２０のようになる。
【００９０】
そして、図６に戻り、課金演算部４０により、料金計算が行われる（Ｓ１６）。課金演算部４０は、契約情報記録部２２の記録内容に基づきユーザ毎のコンテンツの料金あるいはポイント等を決定する。契約情報記録部２２の記録内容が図２０のようになっている。これにより、清算日までに、端末２、端末４、端末６の所有者が、コンテンツを共有していることがわかる。ここで、コンテンツを得るためにかかった費用Ｘは、Ｘ＝［コンテンツ一個の価格］×３＋［端末２がコンテンツを基地局１から受信するための通信費］である。そこで、端末２、端末４、端末６の所有者に、Ｘ／３ずつ費用を割り当てる。すなわち、端末２、端末４、端末６の所有者が、端末２と基地局１との通信費を分担して負担する。
【００９１】
なお、清算日以降に、コンテンツを入手したユーザに対しては、端末２、端末４、端末６の所有者と同額の料金を課す様にしてもよい。
【００９２】
第二の実施形態のように構成されたコンテンツ送受信装置によれば、端末４、６はそれぞれ端末２、４から暗号化されたコンテンツを受信すればよい。よって、端末４、６は暗号化されたコンテンツを基地局１から受信する必要がない。したがって、暗号化されたコンテンツを取得する際に、基地局１に通信が偏らない。よって、端末４、６の所有者は、基地局１との通信費を節約でき、また基地局１との通信により広い帯域を使用することがなくなる。
【００９３】
しかも、端末２、４、６は、暗号化されたコンテンツを復号するための鍵を基地局１から受信する。よって、鍵を端末２、４、６が受信する際に、著作権に関する契約を締結することが可能であり、違法コピーなどの著作権法上の問題を回避できる。
【００９４】
また、基地局１は、端末４、６から契約情報を受信する。そして、受信した契約情報における、契約を行ったユーザの電話番号を、コンテンツが記録されている端末（すなわち、契約情報を送信してきた端末）の電話番号に変更していく。よって、コンテンツの共有関係を把握できる。そこで、コンテンツの共有関係に関する情報に基づき、課金の問題を解消できる。すなわち、課金演算部４０が契約情報記録部２２の記録内容に基づきユーザ毎のコンテンツの料金を決定するので、課金の問題を解消できる。
【００９５】
特に、課金演算の際に、端末２が基地局１と通信したときの費用を、端末４、６の所有者も負担するので、端末２がコンテンツの配布元となるインセンティブとなり、コンテンツの配布を促進できる。
【００９６】
また、上記全ての実施形態は、以下のようにして実現できる。ＣＰＵ、ハードディスク、メディア（フロッピーディスク、ＣＤ−ＲＯＭなど）読み取り装置を備えたコンピュータのメディア読み取り装置に、上記の各部分を実現するプログラムを記録したメディアを読み取らせて、ハードディスクにインストールする。
このような方法でも、上記の機能を実現できる。
【００９７】
【発明の効果】
本発明によれば、端末は、暗号化されたコンテンツを基地局から受信する必要がないので、暗号化されたコンテンツを取得する際に、基地局に通信が偏らない。しかも、暗号化されたコンテンツを復号するための鍵は基地局から受信するので、基地局が、鍵の配布を通じて著作権法上の問題および課金の問題を解消できる。
【００９８】
しかも、基地局は、契約情報における、コンテンツが記録されている端末の端末識別情報を、コンテンツ所有端末の端末識別情報に変更していくので、コンテンツの流通経路を把握できる。そこで、流通経路に関する情報に基づき、著作権法上の問題および課金の問題を解消できる。
【図面の簡単な説明】
【図１】本発明の第一の実施形態にかかるコンテンツ送受信装置の全体構成を示す図である。
【図２】基地局１の構成を示す図である。
【図３】契約情報の一例を示す図である。
【図４】契約情報更新部２６の契約情報の更新の例を示す図である。
【図５】端末４の構成を示す図である。
【図６】第一の実施形態の動作を示すフローチャートである。
【図７】端末２への暗号化コンテンツ等のダウンロードの詳細な手順を示す図である。
【図８】契約情報を示す図である。
【図９】端末２から端末４への暗号化コンテンツ等のダウンロードの詳細な手順を示す図である。
【図１０】契約情報を示す図である。
【図１１】基地局１から端末４へのカギ等のダウンロードの詳細な手順を示す図である。
【図１２】契約情報を示す図である。
【図１３】第二の実施形態における契約情報の一例を示す図である。
【図１４】契約情報更新部２６の契約情報の更新の例を示す図である。
【図１５】端末２への暗号化コンテンツ等のダウンロードの詳細な手順を示す図である。
【図１６】契約情報を示す図である。
【図１７】端末２から端末４への暗号化コンテンツ等のダウンロードの詳細な手順を示す図である。
【図１８】端末４へのカギ等のダウンロードの詳細な手順を示す図である。
【図１９】契約情報を示す図である。
【図２０】契約情報を示す図である。
【図２１】本発明の第二の実施形態にかかるコンテンツ送受信装置の全体構成を示す図である。
【図２２】従来のコンテンツ配信サービスのシステム構成を示す図である。
【符号の説明】
１  基地局
１０  コンテンツ管理部
１２  コンテンツ記録部
１４  鍵記録部
１６  コンテンツ暗号化部
２０  契約情報管理部
２２  契約情報記録部
２４  契約情報検索部
２６  契約情報更新部
３０  無線接続部
４０  課金演算部
２、４、６  端末
４２  暗号化コンテンツ受信部
４４  契約情報記録部
４６  端末ＩＤ記録部
４８  契約情報送信部
５０  無線接続部
５２  契約情報受信部
５４  暗号化コンテンツ記録部
５６  暗号化コンテンツ送信部
５７  鍵受信部
５８  鍵記録部
６０  復号化部
６２  コンテンツ再生部
８  コンテンツ供給元
【図１】
0004552316.tif 000002
【図２】
0004552316.tif 000003
【図３】
0004552316.tif 000004
【図４】
0004552316.tif 000005
【図５】
0004552316.tif 000006
【図６】
0004552316.tif 000007
【図７】
0004552316.tif 000008
【図８】
0004552316.tif 000009
【図９】
0004552316.tif 000010
【図１０】
0004552316.tif 000011
【図１１】
0004552316.tif 000012
【図１２】
0004552316.tif 000013
【図１３】
0004552316.tif 000014
【図１４】
0004552316.tif 000015
【図１５】
0004552316.tif 000016
【図１６】
0004552316.tif 000017
【図１７】
0004552316.tif 000018
【図１８】
0004552316.tif 000019
【図１９】
0004552316.tif 000020
【図２０】
0004552316.tif 000021
【図２１】
0004552316.tif 000022
【図２２】
0004552316.tif 000023